【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
製品ディスペンサから分配する混合製品を提供するためのシステムであって、
第１の完成品を形成するための１つまたは複数の成分を含む第１の製品レシピと関連付けられたデータを受信し、
第２の完成品を形成するための１つまたは複数の成分を含む第２の製品レシピと関連付けられたデータを受信し、
前記第１の製品レシピの少なくとも一部分および前記第２の製品レシピの少なくとも一部分の組合せを含む混合レシピを作成するように、そこで符号化される多数のレシピ識別子およびそれぞれの比率を有する機械可読アイテムを生成する
ように動作可能なコード生成モジュール
を備え、前記機械可読アイテムは、前記混合レシピに基づいて前記第１の完成品および前記第２の完成品の組合せを分配するように製品ディスペンサを構成する、システム。
【請求項２】
前記コード生成モジュールは、
前記第１の製品レシピと関連付けられた比率に対するデータを受信し、
前記第２の製品レシピと関連付けられた比率に対するデータを受信する
ようにさらに動作可能であり、
前記混合レシピは、前記第１の製品レシピと関連付けられた前記比率および前記第２の製品レシピと関連付けられた前記比率を含む、請求項１に記載のシステム。
【請求項３】
前記コード生成モジュールは、
混合比率が事前に定義された総比率と等しくない場合、少なくとも前記第１の製品レシピと関連付けられた比率または前記第２の製品レシピと関連付けられた比率を正規化する
ようにさらに動作可能であり、
前記混合レシピは、前記第１の製品レシピと関連付けられた正規比率または前記第２の製品レシピと関連付けられた正規比率を含む、請求項１または２に記載のシステム。
【請求項４】
前記機械可読アイテムは、バーコード、２Ｄバーコード、ＱＲコード、ＲＦＩＤタグ、ＮＦＣチップ、データマトリクス、英数字列、文字列、ショートメッセージサービスもしくはテキストメッセージ、符号化データ、または、暗号化データのうちの少なくとも１つを含む、請求項１〜３のいずれか１項に記載のシステム。
【請求項５】
前記コード生成モジュールは、前記混合レシピと関連付けられた符号化データを格納するステップ、前記混合レシピと関連付けられた符号化データを印刷するステップ、前記混合レシピと関連付けられた符号化データを表示するステップ、ユーザによる印刷もしくは表示のために前記混合レシピと関連付けられた符号化データを電子的に送信するステップ、または、前記混合レシピと関連付けられた符号化データを出力するステップのうちの少なくとも１つを実行するようにさらに動作可能である、請求項１〜４のいずれか１項に記載のシステム。
【請求項６】
前記コード生成モジュールは、
少なくとも１つの事前に定義された規則に対する前記混合レシピの正当性を確認する
ようにさらに動作可能である、請求項１〜５のいずれか１項に記載のシステム。
【請求項７】
前記少なくとも１つの事前に定義された規則は、前記混合レシピの少なくとも１つの成分の量の限度、前記混合レシピの少なくとも１つのタイプの成分の量の限度、または、少なくとも２つの成分の混合に関する制限のうちの少なくとも１つを含む、請求項６に記載のシステム。
【請求項８】
前記コード生成モジュールは、
ユーザと関連付けられたプロセッサベースのデバイスに前記機械可読アイテムを送信して、前記製品ディスペンサと関連付けられた少なくとも１つのリーダデバイスに対して前記プロセッサベースのデバイスに前記機械可読アイテムを出力させることで、前記製品ディスペンサが前記機械可読アイテムに基づいて前記第１の完成品および前記第２の完成品の前記組合せを分配することができるようにさらに動作可能である、請求項１に記載のシステム。
【請求項９】
コンピュータ可読プログラムコードを有するコンピュータ可読媒体を備えたコンピュータプログラム製品であって、前記コンピュータ可読プログラムコードは、製品ディスペンサから分配する混合製品を提供するための方法を実装するために実行されるように動作可能であり、前記方法は、
第１の完成品を形成するための１つまたは複数の成分を含む第１の製品レシピと関連付けられたデータを受信するステップと、
第２の完成品を形成するための１つまたは複数の成分を含む第２の製品レシピと関連付けられたデータを受信するステップと、
前記第１の製品レシピの少なくとも一部分および前記第２の製品レシピの少なくとも一部分の組合せを含む混合レシピを作成するように、そこで符号化される多数のレシピ識別子およびそれぞれの比率を有する機械可読アイテムを生成するステップであって、前記機械可読アイテムは、前記混合レシピに基づいて前記第１の完成品および前記第２の完成品の組合せを分配するように製品ディスペンサを構成し、前記機械可読アイテムは、バーコード、２Ｄバーコード、ＱＲコード、ＲＦＩＤタグ、ＮＦＣチップ、データマトリクス、英数字列、文字列、ショートメッセージサービスもしくはテキストメッセージ、符号化データ、または、暗号化データのうちの少なくとも１つを含む、ステップと、
ユーザと関連付けられたプロセッサベースのデバイスに前記機械可読アイテムを送信して、前記製品ディスペンサと関連付けられた少なくとも１つのリーダデバイスに対して前記プロセッサベースのデバイスに前記機械可読アイテムを出力させることで、前記製品ディスペンサが前記機械可読アイテムに基づいて前記第１の完成品および前記第２の完成品の前記組合せを分配することができるステップと
を含む、コンピュータプログラム製品。
【請求項１０】
前記方法は、
前記第１の製品レシピと関連付けられた比率に対するデータを受信するステップと、
前記第２の製品レシピと関連付けられた比率に対するデータを受信するステップであって、
前記混合レシピは、前記第１の製品レシピと関連付けられた前記比率および前記第２の製品レシピと関連付けられた前記比率を含む、ステップと、
混合比率が事前に定義された総比率と等しくない場合、少なくとも前記第１の製品レシピと関連付けられた比率または前記第２の製品レシピと関連付けられた比率を正規化するステップであって、
前記混合レシピは、前記第１の製品レシピと関連付けられた正規比率または前記第２の製品レシピと関連付けられた正規比率を含む、ステップと
をさらに含む、請求項９に記載のコンピュータプログラム製品。
【請求項１１】
前記機械可読アイテムを生成するステップは、符号化データを格納するステップ、符号化データを印刷するステップ、符号化データを表示するステップ、ユーザによる印刷もしくは表示のために符号化データを電子的に送信するステップ、または、符号化データを出力するステップのうちの少なくとも１つを含む、請求項９または１０に記載のコンピュータプログラム製品。
【請求項１２】
前記方法は、
前記混合レシピの少なくとも１つの成分の量の限度、前記混合レシピの少なくとも１つのタイプの成分の量の限度、または、少なくとも２つの成分の混合に関する制限のうちの少なくとも１つを含む少なくとも１つの事前に定義された規則に対する前記混合レシピの正当性を確認するステップ
をさらに含む、請求項９〜１１のいずれか１項に記載のコンピュータプログラム製品。
【請求項１３】
製品ディスペンサから分配する混合製品を提供するための方法であって、
少なくとも第１の完成品を形成するための１つまたは複数の成分を含む第１の製品レシピおよび第２の完成品を形成するための１つまたは複数の成分を含む第２の製品レシピを含む多数の製品レシピと関連付けられたデータを受信するステップと、
前記第１の製品レシピの少なくとも一部分および前記第２の製品レシピの少なくとも一部分の組合せを含む混合レシピを作成するように、そこで符号化される多数のレシピ識別子およびそれぞれの比率を有する機械可読アイテムを生成するステップであって、前記機械可読アイテムは、前記混合レシピに基づいて前記第１の完成品および前記第２の完成品の組合せを分配するように製品ディスペンサを構成する、ステップと
を含む、方法。
【請求項１４】
前記多数の製品レシピと関連付けられた少なくとも１つの比率に対するデータを受信するステップ
をさらに含み、
前記混合レシピは、前記多数の製品レシピと関連付けられた前記少なくとも１つの比率を含む、請求項１３に記載の方法。
【請求項１５】
混合比率が事前に定義された総比率と等しくない場合、前記多数の製品レシピと関連付けられた少なくとも１つの比率を正規化するステップ
をさらに含み、
前記混合レシピは、前記多数の製品レシピと関連付けられた少なくとも１つの正規比率を含む、請求項１３または１４に記載の方法。
【請求項１６】
前記機械可読アイテムは、バーコード、２Ｄバーコード、ＱＲコード、ＲＦＩＤタグ、ＮＦＣチップ、データマトリクス、英数字列、文字列、ショートメッセージサービスもしくはテキストメッセージ、符号化データ、または、暗号化データのうちの少なくとも１つを含む、請求項１３〜１５のいずれか１項に記載の方法。
【請求項１７】
前記機械可読アイテムを生成するステップは、符号化データを格納するステップ、符号化データを印刷するステップ、符号化データを表示するステップ、ユーザによる印刷もしくは表示のために符号化データを電子的に送信するステップ、または、符号化データを出力するステップのうちの少なくとも１つを含む、請求項１３〜１６のいずれか１項に記載の方法。
【請求項１８】
少なくとも１つの事前に定義された規則に対する前記混合レシピの正当性を確認するステップ
をさらに含む、請求項１３〜１７のいずれか１項に記載の方法。
【請求項１９】
前記少なくとも１つの事前に定義された規則は、前記混合レシピの少なくとも１つの成分の量の限度、前記混合レシピの少なくとも１つのタイプの成分の量の限度、または、少なくとも２つの成分の混合に関する制限のうちの少なくとも１つを含む、請求項１８に記載の方法。
【請求項２０】
ユーザと関連付けられたプロセッサベースのデバイスに前記機械可読アイテムを送信して、前記製品ディスペンサと関連付けられた少なくとも１つのリーダデバイスに対して前記プロセッサベースのデバイスに前記機械可読アイテムを出力させることで、前記製品ディスペンサが前記機械可読アイテムに基づいて前記第１の完成品および前記第２の完成品の前記組合せを分配することができるステップをさらに含む、請求項１３〜１９のいずれか１項に記載の方法。